(57)【特許請求の範囲】
【請求項１】
両側縁部に接合部を有する長尺の帯状に形成され、螺旋状に捲回した状態で、相隣接する接合部相互を接合することで螺旋管を製管できるようになされた長尺プロファイルの供給装置であって、
水平方向に片持ち状態で回動軸が突設された架台と、この架台の回動軸に回動可能に装着され、長尺プロファイルが巻付け可能となされたドラムと、このドラムを架台の回動軸に装着した後の回動軸の先端部分に回動可能に装着され、この装着状態で、ドラムから繰り出される長尺プロファイルを案内するガイド部が形成された回動体とを具備したことを特徴とする長尺プロファイル供給装置。
【発明の詳細な説明】
【０００１】
【発明の属する技術分野】
本発明は、螺旋管を製管する際に使用される長尺プロファイルの供給装置に関するものである。
【０００２】
【従来の技術】
一般に、両側縁部に接合部が形成された長尺の帯状に形成され、螺旋状に捲回した状態で、相隣接する接合部相互を接合することで螺旋管を製管できるようになされた長尺プロファイルが知られている。
【０００３】
従来より、この長尺プロファイルの施工方法としては、この長尺プロファイルを管渠内に供給しながら、この管渠内に内張りする形で螺旋管を製管する施工法が提案されている（例えば、特開平８−２００６９号公報参照）。この際、長尺プロファイルは、螺旋管の製管時に螺旋状に捲回されることによってねじれを生じるため、図５に示すような供給装置ａを使用して長尺プロファイルｂのねじれを防止することが行われている。すなわち、この供給装置ａは、長尺プロファイルｂをコイル状に捲回して形を整えたコイルプロファイルｃとし、このコイルプロファイルｃをコイル台ｄにセットした状態で、巻き始めの内側部分から長尺プロファイルｂを繰り出し、長尺プロファイルｂのねじれ具合に応じて、コイルプロファイルｃを正逆方向に回動させることで、長尺プロファイルｂのねじれを防止するようになされていた。
【０００４】
【発明が解決しようとする課題】
しかし、上記従来の供給装置ａの場合、長尺プロファイルｂを使用する際に、この長尺プロファイルｂを一旦コイル状に捲回して形を整えたコイルプロファイルｃとしなければならず、前作業が煩わしいとともに、この長尺プロファイルｂの幅が細いような場合には、コイルプロファイルｃを形成することが困難になってしまう。
【０００５】
また、長尺プロファイルｂの厚みが厚いような場合、コイルプロファイルｃに形成すると径が大きくなってしまうので、短い距離の長尺プロファイルｂに細分化してコイルプロファイルｃを形成しなければならない。そのため、長距離の製管や大口径の製管を実施するような場合には、コイルプロファイルｃを大量に消費してしまうこととなり、頻繁にコイルプロファイルｃをコイル台ｄにセットしなければならず、作業効率が悪くなってしまう。また、巻き始めの内側部分から長尺プロファイルｂを繰り出すので、このように長尺プロファイルｂの厚みが厚い場合には、コイルプロファイルｃの内側部分の巻き径をある程度大きくしておかないと繰り出せなくなってしまう。したがって、短い距離の長尺プロファイルｂに細分化してコイルプロファイルｃを形成しなければならない割りには、コイルプロファイルｃが大きく嵩張ってしまうこととなり、非常に作業効率が悪くなってしまう。
【０００６】
さらに、コイルプロファイルｃから繰り出した長尺プロファイルｂを、施工終了後に巻き戻すような場合、長尺プロファイルｂにねじれが残っているのに加えて、巻き始めの内側部分から長尺プロファイルｂを繰り出しているので、簡単に巻き戻すことができないといった不都合を生じる。
【０００７】
本発明は、係る実情に鑑みてなされたものであって、簡単に使用でき、作業効率の向上を図ることができる長尺プロファイル供給装置を提供することを目的としている。
【０００８】
【課題を解決するための手段】
上記課題を解決するための本発明の長尺プロファイル供給装置は、両側縁部に接合部を有する長尺の帯状に形成され、螺旋状に捲回した状態で、相隣接する接合部相互を接合することで螺旋管を製管できるようになされた長尺プロファイルの供給装置であって、水平方向に片持ち状態で回動軸が突設された架台と、この架台の回動軸に回動可能に装着され、長尺プロファイルが巻付け可能となされたドラムと、このドラムを架台の回動軸に装着した後の回動軸の先端部分に回動可能に装着され、この装着状態で、ドラムから繰り出される長尺プロファイルを案内するガイド部が形成された回動体とを具備したものである。
【０００９】
【発明の実施の形態】
以下、本発明の実施の形態を図面を参照して説明する。
【００１０】
図１および図２は長尺プロファイル供給装置（以下、単に供給装置と言う。）１の全体構成の概略を示し、図３は同供給装置１の使用状態を示している。
【００１１】
すなわち、この供給装置１は、架台２と、ドラム３と、回動体４とを具備し、ドラム３と回動体４との回動によって、螺旋管５０の製管作業に使用する長尺プロファイル５の繰り出しおよび巻き戻しができるようになされている。
【００１２】
架台２は、土台部２１の一端から立設部２２が立設された側面視略Ｌ字状の架台本体２３の上端部から水平方向に回動軸２０が突設され、この回動軸２０が片持ち状態となされている。
【００１３】
ドラム３は、円筒状に形成された巻芯３１の両端部にフランジ部３２が設けられている。そして、この巻芯３１に長尺プロファイル５が巻き付け可能となされており、この巻芯３１に巻き付けた長尺プロファイル５が崩れないようにフランジ部３２で支持するようになされている。このドラム３は、上記架台２の回動軸２０に回動可能に取り付けられる。また、ドラム３は、巻芯３１の部分が中空に形成されていることが好ましい。このように中空に形成されていると、ドラム３全体を軽量化できる。また、ユニック車などのクレーンを使用してワイヤなどで吊り下げながらドラム３を水平方向に移動させて架台２の回動軸２０に装着することが可能となり、フォークリフトなどを利用しても、水平方向に移動させて架台２の回動軸２０に容易に装着することが可能となる。
【００１４】
回動体４は、ドラム３のフランジ部３２と略同径の車輪状に形成されており、リム部４１のさらに外側には、長尺プロファイル５が通過可能な長孔状の案内部４０が形成されている。この回動体４は、架台２の回動軸２０にドラム３を取り付けた後、さらにこの回動軸２０の先端部に回動可能に取り付けられる。この回動体４とドラム３とは、それぞれが独立して回動可能となされている。
【００１５】
長尺プロファイル５は、両側縁部に接合部（図示省略）を有する長尺の帯状に形成され、螺旋状に捲回した状態で、相隣接する接合部（図示省略）相互を接合することで螺旋管５０を製管できるようになされている。この長尺プロファイル５は、押出成形などによって連続的に製造されるので、この連続的に製造される長尺プロファイル５を、直接ドラム３に巻き取ることができる。そして、このドラム３に巻き取ったまま、ドラム３を架台２に取り付けて、さらに回動体４を取り付けて供給装置１を構成することで、製管作業に移行することができる。
【００１６】
また、製管作業では、図３に示すように、地上から、管渠６内に長尺プロファイル５を供給しながら、この管渠６内に内張りする形で、この管渠６内に挿入した製管装置（図示省略）によって螺旋管５０が製管される。この際、供給装置１は、図１に示すように、回動体４が矢符Ａ方向に回動することで、この回動体４の案内部４０が、ドラム３のフランジ部３２のさらに外周部分を回動しながら長尺プロファイル５を繰り解くこととなり、このドラム３に巻き付けられた長尺プロファイル５は、螺旋状態のまま管渠６内に供給されることとなる。そのため、管渠６内でこの長尺プロファイル５を螺旋状にして螺旋管５０を製管する際、長尺プロファイル５が螺旋状態で供給されるので、製管作業を容易に行うことができる。
【００１７】
さらに、ドラム３に巻き付けた長尺プロファイル５の巻き径と、製管しようとする螺旋管５０の管径とが異なる場合、長尺プロファイル５を螺旋状態で供給しても、この径の違いが影響して長尺プロファイル５にねじれが加わってくることとなる。この際、供給装置１は、ドラム３および回動体４をそれぞれ独立して回動可能としているので、作業者（図示省略）が回動体４とともに、ドラム３を矢符Ａまたは矢符Ｂ方向に手動で回動させることで、ねじれを解消することができる。この際、ドラム３は、図４に示すように、ドラム３のフランジ部３２にモータ７に取り付けた回動板７１を当接して回動させるようにしても良いし、回動軸２０がモータ７の回動軸となるように構成して回動させるようにしても良い。
【００１８】
さらに、製管作業の終了後、管渠６内に繰り出した余剰の長尺プロファイル５を巻き戻す場合も、回動体４を、製管時とは逆の矢符Ｂ方向に回動させることで、この回動体４の案内部４０が、ドラム３のフランジ部３２のさらに外周部分を、繰り出し時とは逆に回動しながら長尺プロファイル５を巻き取ることとなり、このドラム３から繰り出された長尺プロファイル５は、螺旋状態でドラム３に巻き戻されることとなる。また、ドラム３に巻き戻した状態が緩くてたるんでいるような場合には、ドラム３を縮径方向（図１の矢符Ａ方向）に回動させることで、ドラム３に巻き戻した長尺プロファイル５の状態を整えることができる。
【００１９】
このように、この供給装置１によると、長尺プロファイル５の製造時に、ドラム３を巻き芯として長尺プロファイル５を製造し、そのままの状態で運搬搬入などを行い、その後架台２にセットしたドラム３の長尺プロファイル５を、回動体４を利用して繰り出すといった具合に、同一のドラム３を使用して長尺プロファイル５の製造から製管作業までを行うことができ、作業の高効率化を図ることができる。また、このように、長尺プロファイル５の製造から製管作業までを、同一のドラム３で行うことができるので、幅の細い長尺プロファイル５のようにばらけやすいものであっても、ドラム３に巻き付けて安定した状態で取り扱うことができる。さらに、厚みの厚い長尺プロファイル５などの場合も、この長尺プロファイル５に対応する架台２と回動体４とによって長尺プロファイル５の供給装置１を構成することで、長尺プロファイル５を細分化することなく、ドラム３ごと使用して作業の高効率化を図ることができる。また、厚みの厚い長尺プロファイル５を、小さな巻き径から何十にも巻き付けて長距離の長尺プロファイル３とした場合であっても、ドラム３の外側から回動体４を利用して長尺プロファイル３を繰り解いていくので、スムーズに繰り出したり、巻き戻したりすることができる。したがって、長距離の長尺プロファイル３の使用が可能となり、効率の良い作業を行うことができる。
【００２０】
【発明の効果】
以上述べたように、本発明によると、回動体が回動することで、ガイド部が回動してドラムから繰り出される長尺プロファイルを案内するので、このガイド部に案内された長尺プロファイルを、ドラムから螺旋状態のまま繰り出すことができる。また、回動体を、長尺プロファイルの繰り出し時とは反対の方向に回動させることで、螺旋状態となった長尺プロファイルを、ねじれさせることなくそのまま巻き戻すことができる。さらに、螺旋管の径とドラムの巻径との差によって長尺プロファイルにねじれを生じてきたような場合には、回動可能に構成しているドラムを回動体と同様に回動させることで、このねじれを解消することもできる。
【００２１】
したがって、長尺プロファイルの製造時に、ドラムを巻き芯として長尺プロファイルを製造し、そのままの状態で運搬搬入などを行い、その後架台にセットしたドラムの長尺プロファイルを、回動体を利用して繰り出すといった具合に、同一のドラムを使用して長尺プロファイルの製造から製管作業までを行うことができ、作業の高効率化を図ることができる。また、このように、長尺プロファイルの製造から製管作業までを、同一のドラムで行うことができるので、幅の細い長尺プロファイルであっても、ドラムを巻き芯として安定した状態で取り扱うことができる。さらに、厚みの厚い長尺プロファイルなどの場合も、この長尺プロファイルに対応する架台と回動体とによって長尺プロファイルの供給装置を構成することで、長尺プロファイルを細分化することなく、ドラム毎使用して作業の高効率化を図ることができる。特に、厚みの厚い長尺プロファイルを小さな巻き径から何十にも巻き付けて長距離の長尺プロファイルとした場合であっても、この供給装置は、ドラムの外側から回動体を利用して長尺プロファイルをスムーズに繰り出したり、巻き戻したりすることができるので、このような長距離の長尺プロファイルを利用して効率の良い作業を行うことが可能となる。
【図面の簡単な説明】
【図１】長尺プロファイル供給装置の全体構成の概略を示す斜視図である。
【図２】長尺プロファイル供給装置の全体構成の概略を示す分解斜視図である。
【図３】長尺プロファイル供給装置を利用した製管作業を示す要部断面図である。
【図４】（ａ）および（ｂ）は、長尺プロファイル供給装置の他の実施の形態を示す正面図および側面図である。
【図５】従来の長尺プロファイル供給装置を示す斜視図である。
【符号の説明】
１  長尺プロファイル供給装置
２  架台
２０  回動軸
３  ドラム
４  回動体
５  長尺プロファイル
【図１】
0003748139.tif 000002
【図２】
0003748139.tif 000003
【図３】
0003748139.tif 000004
【図４】
0003748139.tif 000005
【図５】
0003748139.tif 000006